(57)【特許請求の範囲】
【請求項１】
オプション品接続用外部接続端子と撮像手段と画像表示手段を備え、公共の電波による通話並びに画像の送受信機能を有する複数台の携帯電話により構成されるセキュリティシステムであって、
前記携帯電話には、予め設定した特定の受信側携帯電話を自動的に呼び出すダイヤル設定手段及び前記外部接続端子を通して入力されるダイヤル指令信号を受信しその信号を前記ダイヤル設定手段に出力する自動ダイヤル命令受信部が内蔵されている一方、
前記携帯電話の外部接続端子に接続可能な通信用補助装置には、人体または火災の少なくとも一方を検知するための検知手段と、この検知手段からの所定の出力信号を基にして異常を判定する異常判定手段、及び、異常判定結果に基づいてダイヤル指令信号を発信する自動ダイヤル命令発信部が備えられており、
前記通信用補助装置における前記異常判定手段が異常を判定したとき、前記自動ダイヤル命令発信部から発信されるダイヤル指令信号を前記携帯電話の外部接続端子を通して前記自動ダイヤル命令受信部に入力し前記ダイヤル設定手段により前記特定の受信側携帯電話を自動的に呼び出すように構成されていることを特徴とする携帯電話使用のセキュリティシステム。
【請求項２】
人体検知手段のセンサが、１０μｍ付近の赤外線を検知する焦電型またはサーモパイルの赤外線検出器と、超音波型検出器と、１μｍ付近の近赤外線を検知する近赤外線検出器の少なくとも一つによって構成される請求項１記載の携帯電話使用のセキュリティシステム。
【請求項３】
火災検知手段のセンサが、４．３μｍ付近の赤外線を検知する焦電型またはサーモパイルの赤外線式炎検出器と、熱感知器と、煙感知器と、紫外線検出器の少なくとも一つによって構成される請求項１記載の携帯電話使用のセキュリティシステム。
【発明の詳細な説明】
【０００１】
【発明の属する技術分野】
本発明は、公共の電波による通話並びに画像の送受信機能を有する複数台の携帯電話を用いたセキュリティシステムに関するものである。
【０００２】
【従来の技術】
例えば防犯や防災の分野でのセキュリティシステムとして、建造物や倉庫内などの財産を侵入者や火災から守るために、警備会社とセキュリティ契約を結んで、煙センサや感熱センサ、赤外線センサなどの監視センサを建物の所定の場所に設置すると共に、これらのセンサと警備会社の監視センターとを屋内配線でオンライン接続するものがある。
【０００３】
ところが、このシステムでは、セキュリティの契約料が非常に高価であることから、一般家庭での十分な普及に至っていないのが現状であり、加えて、監視センターで異常が検知された際には、異常確認のために警備員が現場に急行するのであるが、異常が火災の場合には、警備員が現場に至る途上にも火災が進行する点で問題があった。
【０００４】
また、警備員が現場に急行するまでの間に侵入者が首尾よく犯行を終えて、警備員が現場に到達した際には、犯人が既に現場を立ち去った後であったりすることもあり、これに対処して、より警備体制を充実させるためには、防犯・防災カメラを設置することであるが、これではセキュリティ契約料が一層高く付くことから、一般家庭での普及にとって更なる問題となる。
【０００５】
更に、一般家庭でセキュリティ契約を結んだとしても、上記のシステムでは、異常の検知が監視センターで行われるだけであって、契約者が留守中の異常を出先で即時に知ることはできないモのであった。
【０００６】
一方、福祉や医療の分野では、身体障害者からの呼び出しや、老人の徘徊や異常行動、病床人の容態急変、乳幼児の起床など、介護人なしでは危険や不安を伴い勝ちで、目を離せないことから、一般には介護人などが常駐するシステムが採られているが、このための介護の負担は大きく、かつ、家族の日常生活や外出の制約を受けるもので、防犯・防災面や福祉・医療面での安価なセキュリティの実現が望まれている。
【０００７】
そのためのセキュリティシステムの一つとして、各種センサからの出力を監視する手段と、この監視手段からの監視情報を送信する手段と、この送信手段からの監視情報を受信する携帯端末（ＰＨＳ）とを備えて、異常発生の情報をＰＨＳに送信できるようにしたものが提案されている（例えば特開平９−５４８８６号公報）。
【０００８】
【発明が解決しようとする課題】
しかしながら、上記のシステムでは、各種センサと出力監視手段および監視情報の送信手段をライン接続する構成上、センサの配置工事を要するだけでなく、センサの設置場所の変更も困難であり、加えて、情報送信手段としての基地局あるいは親機に対する電話局との接続が有線である上に、端末ＰＨＳと基地局あるいは親機との間に中継局や中継アンテナがないので、通信距離が限定される点で問題があった。
【０００９】
本発明は、かかる実情に鑑みて成されたものであって、その目的は、広く普及した携帯電話（携帯型の移動無線通信に用いられる電話機であって、所謂ＰＨＳを含むものである。）が有する各種機能を有効利用して、警備会社や介護人などに頼ることなく、個人や少人数単位で、侵入者や火災から財産を遠隔監視したり、遠隔で正確かつリアルタイムで安価に、人の安全確認を行うことができる携帯電話使用のセキュリティシステムを提供する点にある。
【００１０】
【課題を解決するための手段】
上記の目的を達成するために、本発明による携帯電話使用のセキュリティシステムは、オプション品接続用外部接続端子と撮像手段と画像表示手段を備え、公共の電波による通話並びに画像の送受信機能を有する複数台の携帯電話により構成されるセキュリティシステムであって、前記携帯電話には、予め設定した特定の受信側携帯電話を自動的に呼び出すダイヤル設定手段及び前記外部接続端子を通して入力されるダイヤル指令信号を受信しその信号を前記ダイヤル設定手段に出力する自動ダイヤル命令受信部が内蔵されている一方、前記携帯電話の外部接続端子に接続可能な通信用補助装置には、人体または火災の少なくとも一方を検知するための検知手段と、この検知手段からの所定の出力信号を基にして異常を判定する異常判定手段、及び、異常判定結果に基づいてダイヤル指令信号を発信する自動ダイヤル命令発信部が備えられており、前記通信用補助装置における前記異常判定手段が異常を判定したとき、前記自動ダイヤル命令発信部から発信されるダイヤル指令信号を前記携帯電話の外部接続端子を通して前記自動ダイヤル命令受信部に入力し前記ダイヤル設定手段により前記特定の受信側携帯電話を自動的に呼び出すように構成されていることを特徴としている（請求項１）。
【００１１】
人体検知手段のセンサは、例えば、１０μｍ付近の赤外線を検知する焦電型またはサーモパイルの赤外線検出器と、超音波型検出器と、１μｍ付近の近赤外線を検知する近赤外線検出器の少なくとも一つから構成され（請求項２）、火災検知手段のセンサは、例えば、４．３μｍ付近の赤外線を検知する焦電型またはサーモパイルの赤外線式炎検出器と、熱感知器と、煙感知器と、紫外線検出器の少なくとも一つから構成される（請求項３）。
【００１２】
而して、例えば防犯や福祉等を目的にする場合は、人体検知手段を備えた通信用補助装置を用意し、防災を目的にする場合は、火災検知手段を備えた通信用補助装置を用意し、防犯や福祉等と防災とを目的にする場合は、この二種類の通信用補助装置あるいは人体検知手段と火災検知手段とを備えた通信用補助装置を用意して、この通信用補助装置を建造物や倉庫内などの所定の場所に、好ましくは出来るだけ多くを分散させて配置するのである。
【００１３】
一方、このセキュリティシステムを構成する発信側の携帯電話とは別の画像表示機能を備えた受信側の携帯電話を予め用意しておき、発信側の携帯電話に接続の通信用補助装置に設けられた検知手段からの所定の出力信号に基づいて、この受信側の携帯電話を自動ダイヤル命令発信部によって自動的に呼び出すように特定しておくのである。
【００１４】
上記の形態をとることによって、例えば不審な人物が倉庫などに侵入した場合は、侵入者が通信用補助装置の人体検知手段付近を移動した際に、この侵入者が人体検知手段によって検知され、火災発生の際は、かかる事態が火災検知手段によって検知されるのであって、この検知に基づいて検知手段から所定の出力信号が発せられることで、自動ダイヤル命令発信部が予め特定した受信側の携帯電話を自動的に呼び出すことになる。
【００１５】
この呼び出しに基づいて、受信側の携帯電話が発信側からの撮像情報（静止画および動画を含む画像情報であって、本発明ではこれを単に画像と呼ぶ）を画像表示する機能を有することから、この携帯電話を受信者が通信状態に切り換えることで、不審人物の侵入であれば、その侵入者の画像と音声とが伝達されるのであり、火災であれば、炎の画像と共にパチパチと弾けるような火災の音が伝達されるのであって、特に、受信者側の電話が携帯型であるので、受信者が何処に居ようと、かかる事態を視覚的に確実かつリアルタイムに認識することができるのである。
【００１６】
従って、かかる事態を認識したならば、受信者は、警察や消防、その他、近隣の知人など、然るべき相手先を選定して救援を求めることができ、特に受信側の電話が携帯型であるから、何処に居ようと遠隔的に且つ早期に、防犯や防災の態勢をとることができるのである。
【００１７】
中でも、発信側の携帯電話に接続されて人体検知手段を備えた通信補助装置では、上記の防犯に限らず、例えば玄関や勝手口などの出入口で人体を検知するように、人体検知手段を出入口付近に配置しておくことにより、ここを人物（例えば来客や徘徊老人）が通過したことが人体検知手段によって検知され、或いは人体検知手段を、例えば身体障害者や病床人のまわり、乳幼児の寝床まわりに配置しておけば、人体（身体障害者や病床人、乳幼児）の動きが人体検知手段によって検知されるのであって、これに基づいて受信側の携帯電話が自動的に呼び出されることで、来客の検知や、例えば老人の徘徊や異常行動、その他、身体障害者の呼び出しや病床人の容態急変、乳幼児の起床などを、視覚をもって遠隔的に検知することができる。
【００１８】
この他にも、人体検知手段を備えた通信用補助装置を、オートバイ回りや自動車の車内などに配置しておけば、いわゆる車上狙いや盗難の検知や通報を、受信側の携帯電話によって実施でき、この際の携帯電話や通信用補助装置への電源供給は、例えばシガライター部や車中のバッテリーからとればよい。
【００１９】
更に、農業の分野において、例えばビニールハウス内の所定の場所に発信側携帯電話の通信用補助装置を配置しておけば、人間や野生動物によるビニールハウス荒らしを検知することもできる。
【００２０】
加えて、人体検知と火災検知の何れを問わず、受信側の携帯電話に、発信側携帯電話の通信用補助装置からの撮像情報を記録する画像記録装置が設けられているので、この画像記録装置に人物が記録されていると、火災が放火であることが判明したり、盗難に遇ったりした際には、その記録画像を犯人特定の手掛かりにしたり、放火や窃盗の証拠にしたりすることができる。
【００２１】
また、検知機能の異なる複数種の人体検知手段あるいは火災検知手段を備えれば、検知精度がアップすることで、その分、信頼性が高まる利点がある。
【００２２】
要約すると、本発明によれば、受信側の携帯電話が画像表示手段を備えていることから、発信側の携帯電話の呼び出し情報源が、人体検知手段を備えた通信用補助装置では、不審な人物の侵入や、その他、身体障害者からの呼び出しや、来客や老人の徘徊、病床人の容態急変、乳幼児の起床、車上狙いや窃盗の犯人、野生動物等の何であるかを、視覚的に遠隔確認することができ、火災検知手段を備えた通信用補助装置では、火災の発生を視覚的に遠隔確認することができる。
【００２３】
従って、本発明によれば、警備会社や介護人などに頼ることなく、個人や少人数単位で、防犯や防災、医療などの措置を誤りなく実施でき、また、人体検知手段あるいは火災検知手段の誤作動や、ペットなどの小動物による誤報であっても、画像で現場を確認できることから、誤報による現地への急行などの徒労も回避されるのである。
【００２４】
中でも、通信用補助装置に備える発信側携帯電話に、受信側携帯電話からの撮像情報を画像表示するための画像表示手段を備える場合は、異常事態の発生現場と相互に、画像と音声とによって遠隔的に交信でき、かかる構成の通信用補助装置を備えた発信側携帯電話と受信側携帯電話を、適宜複数を用意することで、部屋数や家屋数などに応じて例えば警戒範囲を拡大でき、或いは、家族や親戚、友人、知人、近隣同士などのネットワークで、防犯・防災・福祉・医療面などの互いの協力や警戒体制の一層の強化を期することが可能となる。
【００２５】
【発明の実施の形態】
以下、本発明の実施の形態を図面に基づいて説明する。図１は本発明に係るセキュリティシステムの一実施の形態による発信側通信装置の構成を示し、図２のブロック図にも示すように、この通信装置は、発信側となる携帯電話１のオプション品接続用の外部接続端子２に、リード線３とプラグ４とを介して通信用補助装置５を接続し、かつ、通信用補助装置５にＡＣアダプタ（安定化電源）６を接続して成るもので、通信用補助装置５に電源を供給しながら、携帯電話１のバッテリー７を充電できるようにしている。
【００２６】
具体的には、携帯電話１は、撮像手段８と画像表示手段９とを備えて、公共の電波（この公共の電波とは、国内ならば、ＮＴＴなどの商用電波を意味する。）による通話ならびに画像の送受信機能を有するもので、ダイヤルボタン１０と、通話の実行ならびに終了ボタン１１，１２と、当該携帯電話が備える各種機能の内容（発信先のダイヤル表示や短縮番号の一覧など）を画像表示手段９に表示するためのメニューボタン１３と、伸縮ロッドタイプのアンテナ１４などを備えている。
【００２７】
更に、通話相手である受信側の携帯電話が切られた際に自動的に通話終了の措置が成される機能（次のダイヤルに備えるためのもので、例えば１５秒や３０秒など短時間の時間経過後に通話終了が成されるものでもよく、この場合、設定時間の調整を可能にすることが望ましい。）を有する外、通信回路１５と特定の受信側の携帯電話を呼び出すためのダイヤル設定手段１６とを内蔵しており、折り畳み可能のスタンド１ａを備えて、傾斜姿勢で自立できるように構成されている。
【００２８】
一方、通信用補助装置５は、机上タイプのものであって、前記リード線３の接続端子１７とＡＣアダプタ６からのリード線１８の接続端子１９とを備えた容器２０に、この容器２０の前面部まわりの人体ならびに火災を検知するための検知手段２１と、この検知手段２１からの所定の出力信号を基にして異常を判定する異常判定手段２２、及び、自動ダイヤル命令発信部２３を備えており、かつ、この自動ダイヤル命令発信部２３は、異常判定手段２２からの異常の判定情報を携帯電話１側の自動ダイヤル命令受信部２４に発信し、ダイヤル設定手段１６によって予め設定した少なくとも一つの電話を自動的に呼び出すように構成されている。
【００２９】
上記の人体ならびに火災の検知手段２１は、図３にブロック図で示すように、人体検知用と火災検知用の２個のセンサ２５Ａ，２５Ｂを備えており、この実施の形態では、センサ２５Ａ，２５Ｂとして、焦電型またはサーモパイルの赤外線検出器を用いている。
【００３０】
具体的には、人体から放射される１０μｍ付近の赤外線を検知するように、１０μｍ帯の透過フィルタ２６を具備した人体検知用の赤外線センサ２５Ａと、炎から放射される４．３μｍ付近の赤外線を検知するように、４．３μｍ帯の透過フィルタ２７を具備した炎検知用の赤外線センサ２５Ｂとを備えており、かつ、センサ２５Ａの前面部には集光レンズ２８が配置され、センサ２５Ｂの前面部には赤外線透過カバー２９が配置されている。
【００３１】
そして、各センサ２５Ａ，２５Ｂに、それぞれ増幅回路２９と比較回路３０と判定部３１を接続して、人体と火災の一方または両方の検知による所定の出力信号を基にして、異常判定手段２２から自動ダイヤル命令発信部２３にダイヤル指令を出力し、かつ、自動ダイヤル命令発信部２３からリード線３を経由して、そのダイヤル指令信号を自動ダイヤル命令受信部２４に発信するように構成されている。
【００３２】
上記構成の通信用補助装置５によれば、人体ならびに火災の検知手段２１による赤外線の検知領域に人が侵入すると、その人体から放射される赤外線が人体検知用の赤外線センサ２５Ａによって検知される。そして、この検知に基づいて異常判定手段２２が異常を判定して、その判定結果が自動ダイヤル命令発信部２３からリード線３を通して自動ダイヤル命令受信部２４に入力されることで、ダイヤル設定手段１６は、予め設定した少なくとも一つの受信側の携帯電話を自動的に呼び出すことになる。
【００３３】
一方、人体ならびに火災の検知手段２１による赤外線の検知領域で火災が発生すると、その炎から放射される赤外線が火災検知用の赤外線センサ２５Ｂによって検知され、この検知に基づいて異常判定手段２２が異常を判定して、火災発生の判定結果自動ダイヤル命令発信部２３からリード線３を通して自動ダイヤル命令受信部２４に入力されることで、ダイヤル設定手段１６は、今度も予め設定した少なくとも一つの受信側の携帯電話を自動的に呼び出すことになる。この際、人の侵入と火災の発生の何れかによって、特定の呼び出し相手を個別に選択して呼び出すようにしてもよい。
【００３４】
従って、上記構成の通信用補助装置５を備えた携帯電話１の複数台を、例えば倉庫内などの所定の場所に分散させて配置すると共に、これらの通信用補助装置５を備える携帯電話１を発信側の携帯電話として、これとは別に、通話ならびに画像の送受信機能を有する携帯電話を受信側電話として、この受信側の携帯電話のダイヤルを、発信側の携帯電話のダイヤル設定手段１６に入力させておけば、倉庫内に侵入した不審な人物が、人体検知用センサ２５Ａの赤外線検知領域に入った場合、この不審な人物の侵入が検知手段２１によって検知されることになり、倉庫内で火災が発生した場合も、その炎が火災検知用のセンサ２５Ｂによって検知されることになる。
【００３５】
これによって、検知手段２１から所定の出力信号が、自動ダイヤル命令発信部２３を通してダイヤル設定手段１６に入力されることで、このダイヤル設定手段１６は予め設定した受信側の携帯電話を自動的に呼び出すのであって、この呼び出しに基づいて受信側の携帯電話を通信状態に切り換えると、この受信側携帯電話の画像表示手段には、発信側の携帯電話１まわりの画像（即ち、侵入者や火災の画像）が表示されるのであり、自動ダイヤルによる呼び出しが人体検知によるものか火災の検知によるものかを、瞬時に視覚及び聴覚によって遠隔的に確認できるのである。
【００３６】
特に、受信側の電話が携帯型であるので、受信者が何処に居ようと、上記の事態を瞬時に確認できるのであって、この情報を確認したならば、この受信側の携帯電話を一旦切って、上記の情報に基づいて例えば受信側の携帯電話により、警察や消防、その他、近隣の知人など、然るべき相手先を選定して救援を求めることで、防犯や防災の態勢を早期にとることができるのであり、この際、赤外線センサ２５Ａ，２５Ｂの誤作動やペットなどの小動物による誤報であっても、画像で現場を確認できることから、誤報による現地への急行などの徒労も回避されるのである。
【００３７】
ここで、防犯目的の場合は、携帯電話１の外部接続端子２に接続されるリード線３を長くして、通信用補助装置５を棚の上など、目立たない位置に配置することが望ましく、その目立たない位置の近くにコンセントが存しないならば、通信用補助装置５に接続されるＡＣアダプタ６からのリード線１８も長くすればよい。
【００３８】
上記構成の通信用補助装置５を、例えば身体障害者や病床人のまわりや、乳幼児の寝床まわり、その他、玄関などの出入口などに配置しておけば、身体障害者や病床人、乳幼児の動きや、出入口を通過する人が検知手段２１によって検知されて、受信側の携帯電話が自動的に呼び出されることで、例えば老人の徘徊や異常行動、その他、身体障害者の呼び出しや病床人の容態急変、乳幼児の起床などを、遠隔で瞬時に視覚確認することができる。
【００３９】
また、上記構成の通信用補助装置５では、これを備える発信側の携帯電話１と受信側の携帯電話とにおいて、画像と音声とによって相互に交信できることから、発信側と受信側の双方が上記構成の通信用補助装置５を備えることで、好適には適宜複数を用意することで、部屋数や家屋数などに応じて例えば警戒範囲を拡大したり、家族や親戚、友人、知人、近隣同士などのネットワークで、防犯・防災・福祉・医療面などの互いの協力や警戒体制の一層の強化を期することが可能となる。
【００４０】
この他、上記構成の通信用補助装置５を、オートバイ回りや自動車の車内などに配置しておけば、いわゆる車上狙いや窃盗の犯人像の視覚検知や通報を、受信側の携帯電話によって実施でき、また別途、画像記録装置を受信側の携帯電話に接続しているので、発信側の携帯電話からの撮像情報を記録し、その記録画像を犯人特定の手掛かりや証拠にすることができる。
【００４１】
更には、農業の分野において、例えばビニールハウス内の所定の場所に上記構成の通信用補助装置５を配置しておけば、人や野生動物によるビニールハウス荒らしが発生した場合、ハウス荒らしの人物像や、その動物の種類が何であるかを視覚的に検知することもできる。
【００４２】
尚、人体ならびに火災検知用のセンサ２５Ａ，２５Ｂとして、実施の形態では、焦電型またはサーモパイルの赤外線検出器を用いているが、人体検知用のセンサ２５Ａとして、超音波型検出器や、１μｍ付近の近赤外線を検知する近赤外線検出器を選択しても、或いは、火災検知用のセンサ２５Ｂとして、熱感知器や煙感知器、紫外線検出器を選択しても、更には、それぞれ検知機能の異なる複数種のセンサを複合しても、その詳細な説明を割愛するが、上述した通信用補助装置５と同様の効果を得ることができる。
【００４３】
また、上記の実施の形態では、通信用補助装置５を備えた発信側の携帯電話１に画像表示手段９を備えさせているが、例えば防犯や防災の面からは、受信側の携帯電話からの撮像情報を、通信用補助装置５側の携帯電話１に画像表示する必要性がないことから、この画像表示手段９を省略しても実施可能である。
【００４４】
更に、発信側の通信用補助装置５を防犯や防災などの警戒の状態にセットするに際して、その取扱い者自身を検知手段２１の人体検知用センサ２５Ａが検知して、これを侵入者と見做して誤って特定の受信側の電話を呼び出すことが懸念されるが、これを防止する手段として、警戒状態のセット後、数秒間のタイマー（不感時間）を設定したり、例えば受信側の電話からの指令によって警戒状態へのセットを可能にするなどの手段を講じることが好ましい。その指令は、自動ダイヤル命令発信部２３または自動ダイヤル命令受信部２４へ送信するなど任意に行えばよい。
【００４５】
或いは、防犯や防災などの警戒モード以外で、携帯電話１のバッテリー１１に充電する際に、検知手段２１の人体検知用センサ２５Ａが人を検知することによっても、特定の電話を呼び出すことになるが、これを防止する手段として、例えば通信用補助装置５に、警戒モードと充電モードとの切り換えスイッチを設ける一方、充電モードから警戒モードへの切り換え後、上記したように数秒間のタイマー（不感時間）を設定して、充電モードでは、人体検知用のセンサ２５Ａによる人体検知を行わせないようにすればよい。
【００４６】
別の実施の形態による通信装置を図４〜図７に示している。図４に示す通信装置では、図１に示す通信装置において、これのリード線３を省略して、ＡＣアダプタ６に接続の通信用補助装置５を、携帯電話１の外部接続端子２に直接的に接続するようにしている。
【００４７】
図５に示す通信装置では、外部接続端子２と充電用端子３２とを別々に備える携帯電話１を対象にして、リード線１８を介して携帯電話１にＡＣアダプタ６を接続すると共に、この携帯電話１にリード線３３を介して通信用補助装置５を接続し、かつ、通信用補助装置５に対してＡＣアダプタ６から電源を供給するようにしている。
【００４８】
図６に示す通信装置では、図５に示す通信装置において、これのリード線３３を省略して、通信用補助装置５を携帯電話１の外部接続端子２に直接的に接続するようにしている。
【００４９】
図７に示す通信装置では、図１に示す通信装置において、これのリード線３を省略して、ＡＣアダプタ６に接続の通信用補助装置５を携帯電話１の外部接続端子２に直接的に接続し、かつ、通信用補助装置５を経由してのＡＣアダプタ６からのバッテリー充電を省略する一方、ＡＣアダプタ３４に接続された充電台３５への携帯電話１の差し込みによって、携帯電話１への充電を行わせるようにしている。
【００５０】
上記した通信装置の各種の実施の形態において、ＡＣアダプタ６を省略して、携帯電話１のバッテリー７から通信用補助装置５に電源を供給するようにしてもよく、或いは、通信用補助装置５の容器２０に専用のバッテリーを内蔵して、このバッテリーから通信用補助装置５に電源を供給するようにしてもよい。
【００５１】
また、自動ダイヤル命令発信部２３を容器２０に内蔵しているが、この自動ダイヤル命令発信部２３を携帯電話１に内蔵して実施可能であることは言うまでもない。
【００５２】
尚、上記の実施の形態では、防犯や福祉等と防災とを目的にすることから、通信用補助装置５として、これに人体ならびに火災の検知手段２１を装備させているが、防犯や福祉等を目的にする場合は火災検知系を省略し、防災を目的にする場合は人体検知系を省略して、通信用補助装置５を構成すればよく、或いは、この二種類の通信用補助装置を併用して、防犯や福祉等と防災とを図るようにしてもよいのである。
【００５３】
【発明の効果】
以上説明したように本発明は、公共の電波による通話ならびに画像送信機能を備えた携帯電話を用いて、異常事態の発生を監視できるように通信用補助装置を構成したのであって、これによって、セキュリティシステムを、大掛かりな配線工事を一切不要にして安価に構成することができる。
【００５４】
しかも、携帯電話を用いることから、監視場所の変更を極めて容易に行うことができる上に、音声と画像とによる相互の交信も可能であって、携帯電話の通常使用の面でも好適であり、全体として、本発明によれば、警備会社や介護人などに頼ることなく個人や少人数単位で、侵入者や火災から財産を遠隔監視したり、遠隔的に人の安全を確認したりすることを、リアルタイムで正確かつ安価に達成することができる。
【図面の簡単な説明】
【図１】  本発明に係る携帯電話使用のセキュリティシステムの一実施の形態による発信側通信装置の構成を示す斜視図である。
【図２】  通信装置が備える各種機能部のブロック図である。
【図３】  人体ならびに火災検知手段のブロック図である。
【図４】  第１の別実施の形態による通信装置の斜視図である。
【図５】  第２の別実施の形態による通信装置の斜視図である。
【図６】  第３の別実施の形態による通信装置の斜視図である。
【図７】  第４の別実施の形態による通信装置の斜視図である。
【符号の説明】
１…携帯電話、２…外部接続端子、５…通信用補助装置、９…画像表示手段、１６…ダイヤル設定手段、２０…容器、２１…検知手段、２２…異常判定手段、２３…自動ダイヤル命令発信部、２４…自動ダイヤル命令受信部、２５Ａ…人体検知用センサ、２５Ｂ…火災検知用センサ。
【図１】
0003782615.tif 000002
【図２】
0003782615.tif 000003
【図３】
0003782615.tif 000004
【図４】
0003782615.tif 000005
【図５】
0003782615.tif 000006
【図６】
0003782615.tif 000007
【図７】
0003782615.tif 000008